(57)【要約】      （修正有）【課題】自動伸縮ドッグチェーン安全スイッチ装置改良構造を提供する。【解決手段】犬の首輪に係止するストリング４０の長さを調整可能に巻取るリール３０の係止、開放操作を行う位置決めスイッチ５０を位置決めガイド溝２６に沿って押し下げ可能に設けると共に押し下げ位置において下段スイッチ５６底部のコ形凸耳５６１をリール３０外周のラチェット３２に嵌合させ、次いでスイッチ５０の前後操作によってロック、或いは開放する。スイッチ５０を限位取付孔２３の限位係止壁２３１で係止させてリール３０から受ける力を負担させることにより、スイッチ５０にかかる負荷を低減する。位置決めスイッチ５０がラチェット３２の係止に伴って受ける力を低減して負荷可能な張力を５０％以上強すると共に、ストリング４０の伸縮操作を容易とする。【選択図】図２
0003198883.tif 000002
【実用新案登録請求の範囲】
【請求項１】
殻体、リール、ストリング及び位置決めスイッチから構成され、
上記殻体は、該殻体内部中心箇所に横方向に心軸を設けて、ストリングを巻き付けたリールに貫通設置し、殻体前側に巻線防止ガイドブロックを設置してその中心箇所に上記ストリングを引き出すＵ形出線孔を設け、
殻体上部に位置決めスイッチを挿通して取り付ける限位取付孔を形成し、限位取付孔内の底側に横向きに限位柱を突出して設けると共に、限位柱上端に位置決めスイッチに対する位置決めガイド溝を設け、限位取付孔両側に位置決めスイッチに接する限位係止壁を設けて位置決めスイッチの左右移動を制止して位置決めスイッチに係る荷重を受けさせ、
上記リールは、心軸上に巻き戻しバネにより弾性回転可能に被せ設けられ、外側面上に複数のラチェットを具えたラチェットリングを設け、前記ストリング最末端はリール軸管上に固定設置され、中間部位はリールのＨ型の凹溝内に巻き戻され、最先端はストッパに覆われて巻線防止ガイドブロックのＵ形出線孔を挿通した後嵌合環を取り付け、
上記位置決めスイッチは、殻体の上記限位取付孔内に縦方向に滑動可能に取り付けられ、スイッチ上段及びスイッチ下段が枢着されて屈曲可能に構成され、
スイッチ上段底側に位置決めロッド及び回転ロッドを設けて、スイッチ下段上側には、ピボット耳、ピボット孔を設けて該ピボット孔内に上記回転ロッドを枢着して上記屈曲構造を構成し、
スイッチ下段両側にそれぞれコ形凸耳を延伸して縦方向滑動孔を設けて、上記限位取付孔内の底側に横向きに突出して設けた限位柱を該縦方向滑動孔上に貫通させて、スイッチを縦方向に滑動可能とすると共に、
スイッチ下段上側に設けた収容溝に収容されて限位柱上に係合された収容バネにより位置決めスイッチの押し下げ操作に対して復帰動作可能とし、
上記位置決めガイド溝は、相互に連通すると共に間を隔てる間隔ブロックにより深溝及び嵌合溝の２つの行程に分けられて、上記位置決めスイッチの押し下げ操作によりスイッチ上段の位置決めロッドが上記該間隔ブロックを越えて後、スイッチ上段の前後シフト操作により屈曲させて位置決めロッドが該深溝及び嵌合溝の２つの行程に分けられてそれぞれの位置に保持されることにより、スイッチ下段を上記ラチェットに対して嵌合と退出の位置を選択することを可能とした、
自動伸縮ドッグチェーン安全スイッチ装置構造改良。
【請求項２】
前記殻体は、２つの左右に突き合わせられる２つの半殻体から構成され、前記位置決めガイド溝は、１方の半殻体内面に形成され、更に、もう１つの半殻体の内面にもう１方の位置決めガイド溝を設け、
スイッチ上段の位置決めロッドは、２つの半殻体の側壁の位置決めガイド溝に対応する請求項１に記載の自動伸縮ドッグチェーン安全スイッチ装置構造改良。
【請求項３】
前記位置決めスイッチ上端に滑り止めパターンを設けてなる請求項１に記載の自動伸縮ドッグチェーン安全スイッチ装置構造改良。
【請求項４】
前記位置決めスイッチは、下向きに押圧し、続いて前向きにシフトすることにより、
スイッチ下段のコ形凸耳は、リールのラチェットリング上の複数のラチェットの２つの隣り合うラチェットの間に挿入されて、ストリングの位置決め効果をもたらす請求項１に記載の自動伸縮ドッグチェーン安全スイッチ装置構造改良。
【請求項５】
前記位置決めスイッチを下向きに押下げ、続いて前方へシフトすることにより、ストリング位置決め効果をもたらし、押下げて後方へシフトして底部のコ形凸耳をリールのラチェットリングの複数のラチェットの隣り合う２つのラチェットの間から退出させ、リールの弾力回転を受けてストリングを巻き戻して収納させる請求項１及び請求項４に記載の自動伸縮ドッグチェーン安全スイッチ装置構造改良。
【請求項６】
前記位置決めスイッチの位置決め位置において、スイッチは限位取付孔の限位係止壁に接して位置決めスイッチ下段が係止したラチェットから受ける荷重を該限位係止壁に受けさせることにより、移動できないようにして位置決めスイッチ全体が受ける負荷を低減させて、負担可能な張力を強化せしめた請求項１に記載の自動伸縮ドッグチェーン安全スイッチ装置構造改良。
【考案の詳細な説明】
【技術分野】
【０００１】
本考案は、自動伸縮ドッグチェーン安全スイッチ装置構造の改良に関し、具体的には、位置決めスイッチ上の位置決めロッドを指し、それは、位置決めガイド溝に合わせて２つの半殻体内面に形成され、位置決めスイッチ上の位置決めロッドの設計に対応し、位置決めスイッチの位置決め方式を変化させ、該位置決めスイッチの位置決め後、スイッチ下段に限位取付孔の限位係止壁の制限を受け、左右に移動できず、位置決めスイッチ全体が受けることができる張力を１００分の５０以上大幅に増加することができ、位置決めスイッチを随時利用し、ペットストリングの長さを調整することができ、ストリングの長さを適度にさせ、地面に引きずって汚すことがなく、位置決めスイッチ装置構造の実用性及び安全性を有効に向上させる。
【背景技術】
【０００２】
従来のドッグチェーン安全スイッチ装置技術において、一般によく見られる自動伸縮ドッグチェーン安全スイッチ装置は、図８〜図９に示すように、殻体８０、リール８１、ストリング８２及び位置決めスイッチ７０を含み、そのうち、殻体８０内部の中心箇所に横向きに心軸を設け、殻体８０上部に限位孔取付孔を形成し、心軸及び限位取付孔の間にとこ向きに限位柱、及び位置決めスイッチ７０を設ける。該リール８１は、心軸上に弾性回転可能に被せ設けられ、リール８１外側面上にラチェットリングを形成し、ラチェット周縁に複数のラチェットを設ける。ストリング８２最末段は、リール軸間上に固定設置され、中間段は、リール上に巻き戻され、最前段は、巻線防止ガイドブロックを貫通後に後方へ向けてリール嵌合環に折りこまれ、該位置決めスイッチ７０は、殻体８０の限位取付孔内に滑動可能に取り付けられ、上段は、限位取付孔を貫通し、位置決めスイッチ７０上に位置決めガイド溝７１を設け、位置決めガイド溝７１は、位置決めロッド７７と対応し、それは、位置決めスイッチ７０上に位置決めガイド溝７１を設け、位置決めロッド７７を合わせて２つの半殻体内面に形成する設計を利用して、ストリングを制御する。
該殻体８０内壁に位置決めロッド７７を設ける設計は、位置決めロッド７７が負荷を受けて折れ曲がりやすく、反作用力を発生する現象を回避することができず、且つ長く押圧使用した後に、位置決めロッド７７全体が位置決めスイッチ上で位置決めガイド溝７１の左右に滑動する時、左右の位置決めロッド７７が位置決めガイド溝７１に挿入される深さが不均等になり、位置決めスイッチ７０のレバーに位置決めさせることができなくなり、位置決めロッド７７を容易に損壊させる。
【先行技術文献】
【特許文献】
【０００３】
【特許文献１】特開２０１２−８５６０１号公報
【考案の概要】
【考案が解決しようとする課題】
【０００４】
これに鑑み、本考案の考案者は、前記現有技術が直面する問題に対して深く検討し、長年関連産業の研究開発及び製造に従事した経験により、且つ解決の道を積極的に求め、長期の努力の研究及び開発を経て、ようやく自動伸縮ドッグチェーン安全スイッチ装置の改良構造の開発に成功し、前述の位置決めスイッチ機構の欠点を克服し、位置決めロッドが折れ角を発生し、反作用力を発生する現象、又は、長く使用後に、位置決めロッド全体が位置決めスイッチ上で左右に滑動し、左右の位置決めロッドがガイド溝に挿入される深さが不均等になり、位置決めスイッチのレバーに位置決めさせることができなくなり、位置決めロッドを容易に損壊させることを回避し、位置決めスイッチを更に実用的にし、使用者の要求に適合させている。
【課題を解決するための手段】
【０００５】
本考案は、自動伸縮ドッグチェーン安全スイッチ装置構造改良に関し、それは、殻体、リール、ストリング及び位置決めスイッチを含み、そのうち、殻体内部の中心箇所に横方向に心軸を設け、リールに貫通設置し、該殻体上部に限位取付孔を形成し、限位取付孔内に位置決めスイッチを設け、該位置決めスイッチは、スイッチ上段及びスイッチ下段が枢着して構成され、限位取付孔内底側に横方向に限位柱を突出して設け、限位柱上端には位置決め溝を設け、限位取付孔両側に限位係止壁を設け、該限位柱は、位置決めスイッチ下段の縦方向滑動孔を貫通し、両側の限位係止壁は、位置決めスイッチがただ限位取付孔内でのみ上昇及び下降できるように制限し、該スイッチ上段の底部両側の横方向にそれぞれ位置決めロッドを設け、殻体側壁上の位置決めガイド溝と対応し、該リールは、側面から見てＨ型を呈する線軸体であり、リールは、心軸上に弾性回転可能に被せ設けられ、リール外側面上にラチェットリングを形成し、ラチェットリング終焉に複数のラチェットを設け、ストリング最末段は、リール軸管上に固定設置され、中間段は、リールのＨ型の線軸体凹溝内に巻き戻され、最前段が巻線防止ガイドブロックのＵ形出線孔を貫通した後、後方へ嵌合環を折り込んで巻き付け、ストッパで覆われる。
【０００６】
前記の位置決めスイッチは、スイッチ上段及びスイッチ下段が枢着して構成され、位置決めスイッチは、殻体の限位取付孔内に活動可能に取り付けられ、スイッチ上段は、限位取付孔を貫通し、スイッチ上段底側の位置決めロッドは、位置決めガイド溝内に収納され、該位置決めガイド溝は、相互に連通する深溝及び嵌合溝の２つの行程を含み、スイッチ下段は、コ形凸耳を形成し、コ形凸耳の両側辺は、縦方向滑動孔を設け、相互に貫通し、スイッチ下段上端の中心箇所に収容溝を設け、収容溝内にバネを収容し、バネ一端は、限位溝一端を押し、限位柱を押し、スイッチ下段のコ形凸耳にスイッチ上段の押圧を受けさせた後、リールのラチェットリング上の２つの隣り合うラチェットの間に挿入及び退出し、スイッチ上段の位置決めロッドは、位置決めガイド溝の深溝及び嵌合溝内を移動し、ストリングの位置決め効果をもたらす。前記の殻体は、左右に突き合わせられた２つの半殻体を含み、前記の位置決めガイド溝は、半殻体内面に形成され、更に、もう１つの位置決めガイド溝を設け、もう１つの半殻体の内面に形成する。前記の位置決めガイド溝は、相互に連通する深溝及び嵌合溝の２つの行程を含み、そのうち、深溝及び嵌合溝の連通箇所に間隔ブロックを設ける。前記のスイッチ下段両側は、それぞれコ形凸耳を延伸し、コ形凸耳上に縦方向滑動孔を設け、限位柱を２つの縦方向滑動孔上に貫通形成させ、前記スイッチ下段は、更に、上端中心箇所に収容溝を設け、バネを収容溝内に収容させる。前記縦方向滑動孔内に更に限位柱を挿入設置し、前記の定位スイッチのスイッチ上段は、殻体に相対して滑動できる滑動片を被せ設ける。
【考案の効果】
【０００７】
上記の技術手段によって、本考案の自動伸縮ドッグチェーン安全スイッチ装置は、位置決めスイッチ上の位置決めロッドが、位置決めガイド溝を合わせ、２つの殻体内面に形成され、位置決めスイッチ上の位置決めロッドに対応する設計を利用し、位置決めスイッチの位置決め方式を変化させ、該位置決めスイッチの位置決め後、スイッチ下段が取付孔の限位係止壁の限位を受け、左右に移動することができず、位置決めスイッチ全体が受けることができる張力を１００分の５０以上大幅に増加することができ、位置決めスイッチがラチェットの係止を受ける反作用力を最低まで下げ、従来の位置決めスイッチ上に位置決めロッドを直接挿入設置する設計の欠点を改良し、リール上のラチェットが位置決めスイッチを係止した後に反作用力を発生し、位置決めロッドのガイド溝内に折れ角を発生する現象、又は長く使用後に、位置決めロッドが位置決めスイッチ上で左右に滑動し、左右の位置決めロッドがガイド溝に挿入される深さが不均等になり、位置決めスイッチのレバーに位置決めさせることができなくなり、位置決めロッドを容易に損壊させる問題を改善し、本考案は、位置決めスイッチを随時利用し、ペットのストリングの長さを調整することができ、ストリングの長さを適度にし、地面に引きずって汚さないようにし、位置決めスイッチ装置構造の実用性及び安全性を有効に向上する。
【図面の簡単な説明】
【０００８】
【図１】本考案の好適実施例の組み合わせ立体説明図である。
【図２】本考案の好適実施例の断面側面説明図である。
【図３】本考案の好適実施例の局部断面立体説明図である。
【図４】本考案の好適実施例の位置決めスイッチを押圧し、位置決めロッドを深溝に対応させた底部断面側面説明図である。
【図５】本考案の好適実施例の定位置決めスイッチを前方へシフトし、位置決めロッドを間隔ブロックに通過させた断面側面図である。
【図６】本考案の好適実施例の位置決めスイッチを前方へシフトした後に開放し、ガイドロッドを嵌合溝底部に位置させた断面側面、ストリング位置決め図である。
【図７】本考案の好適実施例の位置決めスイッチ及び位置決めガイド溝の局部立体説明図である。
【図８】従来の位置決めスイッチの平面断面説明図である。
【図９】従来の位置決めスイッチの平面分解説明図である。
【考案を実施するための形態】
【０００９】
本考案の詳細構造、特徴及びその他の目的を更に理解する為、以下に本考案の好適実施例を挙げ、図面に合わせて詳細に説明し、当業者に実施可能にする。
【００１０】
本考案は、自動伸縮ドッグチェーン安全スイッチ装置構造改良であり、図に示す本考案の具体的実施例及びその部材において、全ての前後、左右、上部及び底部、上部及び下部、水平及び垂直の方位、大小に関して参照する説明は、ただ記載を行い易いように用いるだけであり、本考案を制限するものではなく、その部材を如何なる位置又は空間方向に制限するものではない。図面及び明細書中に指定する寸法は、本考案の特許請求の範囲内において、本考案の具体的実施例の設計及び要求に応じて変化させることができる。
【００１１】
本考案の自動伸縮ドッグチェーン安全スイッチ装置改良は、図１〜図７に示すように、殻体２０、リール３０、ストリング４０及び位置決めスイッチ５０を含み、そのうち、殻体２０は、２つの左右に付き合わさる半殻体により構成され、そのうち、半殻の内面中心箇所に横方向に心軸を伸出して、ストリング４０を巻き付けたリール３０を貫通設置する。    殻体２０前側は、巻線防止ガイドブロック２２を挿入設置し、巻線防止ガイドブロック２２中心箇所にＵ形出線孔２２１を設け、殻体２０上部に限位取付孔２３を形成して位置決めスイッチを取り付ける。
殻体２０後側は、把手２４を形成し、限位取付孔２３内底側に横方向に限位柱２５を突出して設け、限位柱２５上端は、位置決めガイド溝２６を設け、限位取付孔２３両側に限位係止壁２３１を設ける。
該リール３０は、心軸２１上に弾性回転可能に被せ設けられ、リール３０外側面上にラチェットリング３１を形成し、ラチェットリング３１周縁に複数のラチェット３２を設ける。リール３０は、側面から見てＨ型を呈する線軸体であり、中心の貫通孔は、心軸２１上に回転可能に被せ設けられ、２つの円形側面板３３、軸管３４、巻き戻しバネ３５及び固定ピン３６を含む。巻き戻しバネ３５は、軸管３４内部に取り付けられ、内外両端をそれぞれ心軸２１及び軸管３４上に固定嵌合されてリール３０に対して殻体２０内でストリングの引き出し操作に応じて復帰させる回転弾性力を提供する。固定ピン３６は、金属軸管３４外周壁箇所に両側板３３の間に貫通設置する。ストリング４０は、幅を有する帯体を呈し、ストリング４０最末端は、リール３０軸管３４上に固定設置され、中間部位は、リール３０のＨ型の線軸体凹溝内に巻き戻され、最先端は巻線防止ガイドブロック２２のＵ形出線孔２２１を挿通した後、ストッパ４２に覆われて、犬の首輪回りに引っ掛ける嵌合環４１を設置する。
該位置決めスイッチ５０は、スイッチ上段５１及びスイッチ下段５６が屈曲可能に枢着して構成され、スイッチ上段５１上部に滑り止めパターン５２を設け、底側に位置決めロッド５３及び回転ロッド５４を設け、スイッチ下段５６上側にピボット耳５７、ピボット孔５８及び収容溝５９を設け、スイッチ下段５６両側は、それぞれコ形に凸耳５６１を延伸してコ形凸耳５６１に縦方向に開口した滑動孔５６２を設けて前記の限位取付孔２３内底側に横方向に突出して設けた限位柱２５を該２つの縦方向滑動孔５６２に貫通させ、該ピボット孔５８内に回転ロッド５４を枢着してスイッチ上段５１及びスイッチ下段５６が屈曲可能とする。
スイッチ下段５６に設けた収容溝５９内にバネ６０を収容して位置決めスイッチ５０の押し下げ操作に対して復帰する弾発力を付与する。
位置決めスイッチ５０は、二段式の安全スイッチであり、殻体２０の限位取付孔２３内に上下滑動可能に取り付けられ、先ず押し下げ、それから前方にシフトする二段制御方式でその下段スイッチ５６底部のコ形凸耳５６１をリール３０上のラチェットリング３１の隣接する２つのラチェット３２の間に嵌合させてリール３０の回転を防止し、嵌合位置決め効果を形成する目的を達成してストリング４０を位置決めさせる。
先ず押し下げ、それからシフトする二段制御方式によりその底部のコ形凸耳５６１をラチェットリング３１から退出させてリール３０を開放し、ストリング４０自動回転して巻き戻すことができ、これにより、使用者のミスタッチの状況が発生することを有効に防止する。好ましくは、該位置決めスイッチ５０のスイッチ上段５１は、殻体２０を貫通し、殻体２０に相対して滑動可能な滑動片２８を被せ設ける。該位置決めスイッチ５０は、殻体２０の限位取付孔２３内に滑動可能に取り付けられ、上段は、限位取付孔２３を貫通し、位置決めスイッチ５０のスイッチ上段５１底側に位置決めロッド５３を設け、位置決めロッド５３は、殻体２０側壁の位置決めガイド溝２６と対応し、該位置決めガイド溝２６は、相互に連通する深溝２６１及び嵌合溝２６２の２つの行程を具え、該深溝２６１及び嵌合溝２６２の連通箇所は、両者を隔てる間隔ブロック２６３を設ける。
【００１２】
上記スイッチ下段５６のコ形凸耳５６１両側辺に設けた縦方向滑動孔５６２は相互に貫通せしめて該縦方向滑動孔５６２内に限位柱２５を挿入設置することにより、スイッチを縦方向に滑動可能とし、スイッチ下段５６の内部中心箇所に設けた収容溝５９内に収容したバネ６０により、位置決めスイッチ５０の押し下げ操作によりリール３０のラチェットリング３１の２つの隣り合うラチェット３２の間に挿入させたスイッチ下段５６のコ形凸耳５６１を復帰させる。
前記の殻体２０は、左右に突き合わせられる２つの半殻体からなり、前記の位置決めガイド溝２６は、１方の半殻体内面に形成され、もう１つの半殻体の内面にもう１方の位置決めガイド溝２６を更に設ける。
位置決めスイッチ５０のスイッチ上段５１底側箇所の位置決めロッド５３は、２つの半殻体の側壁の位置決めガイド溝２６に対応し、位置決めガイド溝２６は、相互に連通する深溝２６１及び嵌合溝２６２の２つの行程を具え、該深溝２６１及び嵌合溝２６２の間に両者を隔てる間隔ブロック２６３を設ける。前記の位置決めスイッチ５０のスイッチ下段５６両側にそれぞれコ形凸耳５６１を延伸し、縦方向滑動孔５６２をコ形凸耳５５１上に貫通形成させる。前記のスイッチ下段５６は、更に、上部に収容溝５９を凸設し、バネ６０を収容溝５９内に収容設置する。前記の縦方向滑動孔５６２内に限位柱２５を更に挿入設置する。前記の位置決めスイッチ５０のスイッチ上段５１は、殻体２０に相対して滑動可能な滑動片２８を被せ設ける。
【００１３】
図１〜図７に示すように、本考案の自動伸縮ドッグチェーン安全スイッチ装置改良構造は、使用者が片手で把手２４を握り、且つストリング４０の長さの伸縮を制御しようとする時、先ずストリング４０を欲する長さまで引き出し、必要な長さを確定した後、位置決めスイッチ５０を下向きに押圧し、続いてスイッチ上段５１を前向きにシフトして解放する。
この下向きの押圧動作は、位置決めロッド５３を位置決めガイド溝２６の深溝２６１の底部に対応する位置まで押し下げ、次いで前向きのシフト操作によりスイッチ上段５１を屈曲させて間隔ブロック２６３を越えて位置決めロッド５３を嵌合溝２６２内部まで対応してその位置に停留させ、嵌合位置決めする。
嵌合溝２６２の溝の深さは、深溝２６１より浅く、従って、位置決めスイッチ５０の上向きに弾性回復量を比較的短く、下段スイッチ５６の底部のコ形凸耳５６１をリール３０のラチェットリング３１上の２つの隣り合うラチェット３２の間に挿入させた状態に保持し、リール３０を嵌合固定して弾力回転できない位置決め効果を形成し、ストリング４０を位置決めさせる。        
リール３０を開放する時、使用者は、再度下向きにスイッチ上段５１を押圧し、位置決めロッド５３を嵌合溝２６２の底部に対応する位置まで押し下げ、続いてスイッチ上段５１を後方へシフトしてスイッチ上段５１を屈曲させて位置決めロッド５３に間隔ブロック２６３を再度通過させ、最後にスイッチ上段５１を開放してバネ６０の弾力を受けさせて上向きに弾性回復して復位させる。
位置決めロッド５３は、深溝２６１上端に対応するまで上昇し、深溝２６１の溝の深さが比較的長く、位置決めスイッチ５０の上向きの弾性回復量を比較的長いため底部のコ形凸耳５６１をリール３０のラチェットリング３１から退出させ、リール３０が弾力回転を受けてストリング４０を巻き戻す収納作用を行う。
該位置決めスイッチ５０の位置決め状態において、スイッチ下段５６は限位取付孔２３から限位係止壁２３１に沿っているため、
スイッチ下段５６が限位取付孔２３の限位係止壁２３１の制限を受けて左右に移動できず、また、ラチェットから受ける力を該限位係止壁２３１で負担するためその負荷を低減することが出来るため、位置決めスイッチ５０全体が受けることができる張力を１００分の５０以上大幅に増加することができ、位置決めスイッチ５０がラチェット３２の係止を受ける反作用力を最低まで下げる。
本考案は、これらの操作により随時位置決めスイッチ５０を利用してペットのストリング４０の長さを調整し、ストリング４０の長さを適度にして地面に引きずって汚すことがない。
【００１４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１５】
２０  殻体
２１  心軸
２２  巻線防止ガイドブロック
２２１  Ｕ形出線孔
２３  限位取付孔
２３１  限位係止壁
２４  把手
２５  限位柱
２６  位置決めガイド溝
２６１  深溝
２６２  嵌合溝
２６３  間隔ブロック
２８  滑動片
３０  リール
３１  ラチェットリング
３２  ラチェット
３３  円形側板
３４  軸管
３５  巻き戻しバネ
３６  固定ピン
４０  ストリング
４１  嵌合環
４２  ストッパ
５０  位置決めスイッチ
５１  スイッチ上段
５２  滑り止めパターン
５３  位置決めロッド
５４  回転ロッド
５６  スイッチ下段
５６１  コ形凸耳
５６２  縦方向滑動孔
５７  ピボット耳
５８  ピボット孔
５９  収容溝
６０  バネ
７０  位置決めスイッチ
７１  位置決めガイド溝
７７  位置決めロッド
８０  殻体
８１  リール
８２  ストリング
【図１】
0003198883.tif 000003
【図２】
0003198883.tif 000004
【図３】
0003198883.tif 000005
【図４】
0003198883.tif 000006
【図５】
0003198883.tif 000007
【図６】
0003198883.tif 000008
【図７】
0003198883.tif 000009
【図８】
0003198883.tif 000010
【図９】
0003198883.tif 000011
【手続補正書】
【提出日】平成27年5月25日(2015.5.25)
【手続補正１】
【補正対象書類名】実用新案登録請求の範囲
【補正対象項目名】全文
【補正方法】変更
【補正の内容】
【実用新案登録請求の範囲】
【請求項１】
殻体、リール、ストリング及び位置決めスイッチから構成され、
上記殻体は、該殻体内部中心箇所に横方向に心軸を設けて、ストリングを巻き付けたリールに貫通設置し、殻体前側に巻線防止ガイドブロックを設置してその中心箇所に上記ストリングを引き出すＵ形出線孔を設け、
殻体上部に位置決めスイッチを挿通して取り付ける限位取付孔を形成し、限位取付孔内の底側に横向きに限位柱を突出して設けると共に、限位柱上端に位置決めスイッチに対する位置決めガイド溝を設け、限位取付孔両側に位置決めスイッチに接する限位係止壁を設けて位置決めスイッチの左右移動を制止して位置決めスイッチに係る荷重を受けさせ、
上記リールは、心軸上に巻き戻しバネにより弾性回転可能に被せ設けられ、外側面上に複数のラチェットを具えたラチェットリングを設け、前記ストリング最末端はリール軸管上に固定設置され、中間部位はリールのＨ型の凹溝内に巻き戻され、最先端はストッパに覆われて巻線防止ガイドブロックのＵ形出線孔を挿通した後嵌合環を取り付け、
上記位置決めスイッチは、殻体の上記限位取付孔内に縦方向に滑動可能に取り付けられ、スイッチ上段及びスイッチ下段が枢着されて屈曲可能に構成され、
スイッチ上段底側に位置決めロッド及び回転ロッドを設けて、スイッチ下段上側には、ピボット耳、ピボット孔を設けて該ピボット孔内に上記回転ロッドを枢着して上記屈曲構造を構成し、
スイッチ下段両側にそれぞれコ形凸耳を延伸して縦方向滑動孔を設けて、上記限位取付孔内の底側に横向きに突出して設けた限位柱を該縦方向滑動孔上に貫通させて、スイッチを縦方向に滑動可能とすると共に、
スイッチ下段上側に設けた収容溝に収容されて限位柱上に係合された収容バネにより位置決めスイッチの押し下げ操作に対して復帰動作可能とし、
上記位置決めガイド溝は、相互に連通すると共に間を隔てる間隔ブロックにより深溝及び嵌合溝の２つの行程に分けられて、上記位置決めスイッチの押し下げ操作によりスイッチ上段の位置決めロッドが上記該間隔ブロックを越えて後、スイッチ上段の前後シフト操作により屈曲させて位置決めロッドが該深溝及び嵌合溝の２つの行程に分けられてそれぞれの位置に保持されることにより、スイッチ下段を上記ラチェットに対して嵌合と退出の位置を選択することを可能とした、
自動伸縮ドッグチェーン安全スイッチ装置。
【請求項２】
前記殻体は、２つの左右に突き合わせられる２つの半殻体から構成され、前記位置決めガイド溝は、１方の半殻体内面に形成され、更に、もう１つの半殻体の内面にもう１方の位置決めガイド溝を設け、
スイッチ上段の位置決めロッドは、２つの半殻体の側壁の位置決めガイド溝に対応する請求項１に記載の自動伸縮ドッグチェーン安全スイッチ装置。
【請求項３】
前記位置決めスイッチ上端に滑り止めパターンを設けてなる請求項１に記載の自動伸縮ドッグチェーン安全スイッチ装置。
【請求項４】
前記位置決めスイッチは、下向きに押圧し、続いて前向きにシフトすることにより、
スイッチ下段のコ形凸耳は、リールのラチェットリング上の複数のラチェットの２つの隣り合うラチェットの間に挿入されて、ストリングの位置決め効果をもたらす請求項１に記載の自動伸縮ドッグチェーン安全スイッチ装置。
【請求項５】
前記位置決めスイッチを下向きに押下げ、続いて前方へシフトすることにより、ストリング位置決め効果をもたらし、押下げて後方へシフトして底部のコ形凸耳をリールのラチェットリングの複数のラチェットの隣り合う２つのラチェットの間から退出させ、リールの弾力回転を受けてストリングを巻き戻して収納させる請求項１又は請求項４に記載の自動伸縮ドッグチェーン安全スイッチ装置。
【請求項６】
前記位置決めスイッチの位置決め位置において、スイッチは限位取付孔の限位係止壁に接して位置決めスイッチ下段が係止したラチェットから受ける荷重を該限位係止壁に受けさせることにより、移動できないようにして位置決めスイッチ全体が受ける負荷を低減させて、負担可能な張力を強化せしめた請求項１に記載の自動伸縮ドッグチェーン安全スイッチ装置。